(57)【特許請求の範囲】
【請求項１】
第１回路基板および液晶表示板が収容された第１筐体と、第２回路基板およびアンテナ素子が収容された第２筐体とがヒンジ部を介して開閉可能に連結され、前記第１回路基板と前記第２回路基板とが電気的に接続された携帯無線機であって、
前記第１筐体は少なくとも一部が導電性材料からなり、
前記第２筐体内には、前記ヒンジ部近傍に前記アンテナ素子が設けられ、
前記液晶表示板の外周部の少なくとも一部には、導電性材料からなる短絡壁が設けられ、該短絡壁を介して前記第１筐体が前記第１回路基板の接地部に電気的に接続されていることを特徴とする携帯無線機。
【請求項２】
前記第１筐体には、前記液晶表示板の表示面を外方に露出する窓部が設けられ、該窓部近傍に前記短絡壁が一体に形成されている請求項１に記載の携帯無線機。
【請求項３】
前記アンテナ素子は１／４波長エレメントを有している請求項１に記載の携帯無線機。
【請求項４】
前記アンテナ素子はＬ字型のエレメントを有している請求項１に記載の携帯無線機。
【請求項５】
前記アンテナ素子はミアンダエレメントを有している請求項１に記載の携帯無線機。
【請求項６】
前記アンテナ素子は螺旋状のエレメントを有している請求項１に記載の携帯無線機。
【請求項７】
前記短絡壁は前記液晶表示板の外周部の全周に亘って設けられている請求項１ないし６のいずれか１項に記載の携帯無線機。
【発明の詳細な説明】
【技術分野】
【０００１】
本発明は、液晶表示板が収容された第１筐体と、アンテナ素子が収容された第２筐体とがヒンジ部を介して開閉自在に連結された折り畳み型の携帯無線機に関する。
【背景技術】
【０００２】
従来、携帯無線機としては、受話部が設けられた第１回路基板を収容する受話側筐体と、送話部が設けられた第２回路基板を収容する送話側筐体とを備え、これら受話側筐体と送話側筐体とがヒンジ部を介して開閉可能に連結された、いわゆる折り畳み型の携帯無線機が知られている。
【０００３】
この種の従来の携帯無線機では、外観デザインの自由度を大きく確保するために、アンテナ素子の小型化が図られるとともに、筐体内部にアンテナ素子が収容される内蔵型アンテナが採用された構成が普及している。
【０００４】
内蔵型アンテナを採用する従来の携帯無線機としては、ヒンジ部内にアンテナ素子を配置することで、アンテナ特性の低下を抑える構成が開示されている（例えば、特許文献１参照。）。
【０００５】
また、従来の携帯無線機は、更なる小型化、薄型化が求められており、筐体の機械的強度の維持や、外観デザインの要求により、筐体の少なくとも一部を金属材料で構成する必要がある。
【特許文献１】特開２００１−２８４９３４号公報（図１）
【発明の開示】
【発明が解決しようとする課題】
【０００６】
ところで、従来の折り畳み型の携帯無線機としては、第１回路基板および液晶表示板が収容された受話側筐体と、第２回路基板およびアンテナ素子が収容された送話側筐体とがヒンジ部を介して開閉可能に連結され、第１回路基板と第２回路基板とが、ヒンジ部内を通るフレキシブル配線板を介して電気的に接続されたものがある。また、この従来の携帯無線機は、送話側筐体内のヒンジ部近傍にアンテナ素子が配置されている。また、受話側筐体は、液晶表示板が組み込まれた前面側筐体が、導電性を有する金属材料によって形成されている。
【０００７】
この従来の携帯無線機について、受話側筐体および送話側筐体に生じる誘導電流の分布状態を図５に示す。図５において、濃淡で示す各領域の濃度が薄いほど、誘導電流が大きい領域であることを示している。
【０００８】
図５に示すように、携帯無線機１０１では、アンテナ素子から給電された電力が、ヒンジ部１０８内のフレキシブル配線板および、受話側筐体１０６に配置された液晶表示板１１３の表示面の周りに誘導電流となって集中する。このような誘導電流によって、従来の携帯無線機は、アンテナ特性の劣化が著しいという問題がある。
【０００９】
そこで、本発明は、アンテナ特性を向上することができる携帯無線機を提供することを目的とする。
【課題を解決するための手段】
【００１０】
上述した目的を達成するため、本発明に係る携帯無線機は、第１回路基板および液晶表示板が収容された第１筐体と、第２回路基板およびアンテナ素子が収容された第２筐体とがヒンジ部を介して開閉可能に連結され、第１回路基板と第２回路基板とが電気的に接続された携帯無線機であって、第１筐体は少なくとも一部が導電性材料からなる。第２筐体内には、ヒンジ部近傍にアンテナ素子が設けられている。そして、液晶表示板の外周部の少なくとも一部には、導電性材料からなる短絡壁が設けられ、この短絡壁を介して第１筐体が第１回路基板の接地部に電気的に接続されている。
【００１１】
以上のように構成した本発明に係る携帯無線機によれば、第１筐体における液晶表示板の周囲に生じる誘導電流が、短絡壁を介して第１回路基板の接地部に流れることによって、第１筐体に生じる誘導電流が低減される。したがって、この携帯無線機は、使用者が第１筐体を頭部に近づける通話時におけるアンテナ特性が向上される。
【００１２】
また、本発明に係る携帯無線機が備えるアンテナ素子は、１／４波長エレメント、Ｌ字型のエレメント、ミアンダエレメント、螺旋状のエレメントのいずれを有していてもよい。
【００１３】
また、本発明に係る携帯無線機が備える短絡壁は、液晶表示板の外周部の全周に亘って設けられているのが好ましい。これによって、液晶表示板の周囲の誘導電流が更に良好に低減され、アンテナ特性が更に向上される。
【発明の効果】
【００１４】
上述したように本発明に係る携帯無線機によれば、第１筐体内の液晶表示板の周りが短絡壁を介して第１回路基板に電気的に接続されたことによって、アンテナ特性の向上を図ることができる。
【発明を実施するための最良の形態】
【００１５】
以下、本発明の具体的な実施形態について、図面を参照して説明する。
【００１６】
図１に示すように、携帯無線機１は、受話部が設けられた第１回路基板１１を収容する第１筐体としての受話側筐体６と、送話部が設けられた第２回路基板１２を収容する第２筐体としての送話側筐体７と、これら受話側筐体６と送話側筐体７とを開閉可能に連結するヒンジ部８とを備えている。
【００１７】
受話側筐体６は、図２に示すように、一組の前面側筐体６ａと背面側筐体６ｂとが組み合わされて構成されている。前面側筐体６ａは、導電性を有する金属材料によって形成されている。第１回路基板１１には、図示しないが、受話部を構成するスピーカ素子が設けられている。
【００１８】
また、受話側筐体６には、各種情報を表示する液晶表示板１３が設けられている。前面側筐体６ａには、液晶表示板１３の表示面を露出させる窓部１４が設けられており、この窓部１４に液晶表示板１３が組み付けられている。
【００１９】
そして、液晶表示板１３の外周部には、例えば、金属材等の導電性材料からなる短絡壁１５が、液晶表示板１３の全周に亘って設けられている。この短絡壁１５は、四角形の枠状に形成されており、前面側筐体６ａの窓部１４近傍に接合されている。また、第１回路基板１１には、接地部１１ａが設けられており、この接地部１１ａに短絡壁１５が、例えばハンダ付けや電気配線（不図示）を介して電気的に接続されている。
【００２０】
したがって、本実施形態の携帯無線機１は、前面側筐体６ａに生じる誘導電流が、短絡壁１５を介して第１回路基板１１の接地部１１ａに流れることで、前面側筐体６ａを流れる誘導電流が低減される。
【００２１】
なお、本実施形態では、短絡壁１５が、液晶表示板１３の外周部の全周に亘って設けられる構成が採られたが、液晶表示板１３の外周部の少なくとも一部に短絡壁が設けられれば、前面側筐体６ａを流れる誘導電流を第１回路基板１１の接地部１１ａに流し、誘導電流を抑制する効果が得られる。また、短絡壁１５は、前面側筐体６ａの窓部１４近傍に一体に形成されてもよい。
【００２２】
送話側筐体７は、一組の前面側筐体と背面側筐体とが組み合わされて構成されている。第２回路基板１２には、図示しないが、送話部を構成するマイクロホン素子が設けられている。図１に示すように、第２回路基板１２は、ヒンジ部８内を通るフレキシブル配線板１７を介して、第１回路基板１１と電気的に接続されている。
【００２３】
また、送話側筐体７内には、ヒンジ部８近傍に、アンテナ素子１８が配置されている。アンテナ素子１８としては、例えば１／４波長エレメント、Ｌ字型のエレメント、ミアンダエレメント、螺旋状のエレメントのいずれを有していてもよい。第２回路基板１２には、アンテナ素子１８が電気的に接続されるアンテナ回路１９が設けられている。
【００２４】
以上のように構成された携帯無線機１について、受話側筐体６の前面側筐体６ａ、送話側筐体７の前面側筐体に生じる誘導電流の分布状態を図面を参照して説明する。
【００２５】
図３に、本実施形態の携帯無線機について、受話側筐体および送話側筐体に生じる誘導電流の分布状態を示す。図３において、濃淡で示す各領域の濃度が薄いほど、誘導電流が大きい領域であることを示している。
【００２６】
図３に示すように、携帯無線機１では、アンテナ素子１８から給電された電力が、ヒンジ部８内のフレキシブル配線板１７および、受話側筐体６に配置された液晶表示板１３の表示面の周りに誘導電流となって集中する。
【００２７】
携帯無線機１は、第１回路基板１１の接地部１１ａと、受話側筐体６の液晶表示板１３の周りとが短絡壁１５で電気的に接続されることで、図５に示した従来の誘導電流の分布状態に比較して、受話側筐体６に生じる誘導電流が減少した。特に、携帯無線機１では、液晶表示板１３の表示面の周りに生じる誘導電流が大幅に低減された。
【００２８】
そして、短絡壁１５を除いて本実施形態の構成と同一にされた比較形態、つまり従来の携帯無線機では、図４に示すように、デシベル損失が「−３．２」ｄＢ程度であった。一方、本実施形態の携帯無線機１では、短絡壁１５を備えることによって、デシベル損失が「−２．５」ｄＢ程度に低減することができた。
【００２９】
上述したように、携帯無線機１によれば、受話側筐体６における液晶表示板１３の外周部と、第１回路基板１１の接地部１１ａとを電気的に接続する短絡壁１５を備えることによって、受話側筐体６における液晶表示板１３の表示面の周りに生じる誘導電流が、短絡壁１５を介して第１回路基板１１の接地部１１ａに流されるので、受話側筐体６に生じる誘導電流が低減することができる。したがって、この携帯無線機１によれば、アンテナ特性を向上することができる。携帯無線機１は、特に、通話時に、使用者の頭部に近接される受話側筐体６の誘導電流が良好に低減されるので、通話状態を良好に確保することができる。
【図面の簡単な説明】
【００３０】
【図１】実施形態の携帯無線機を透視して示す斜視図である。
【図２】前記携帯無線機を示す分解斜視図である。
【図３】前記携帯無線機における誘導電流の分布状態を模式的に示す斜視図である。
【図４】実施形態の携帯無線機と比較形態の携帯無線機のアンテナ特性を比較して説明するための図である。
【図５】従来の携帯無線機における誘導電流の分布状態を模式的に示す斜視図である。
【符号の説明】
【００３１】
１  携帯無線機
６  受話側筐体
７  送話側筐体
８  ヒンジ部
１１  第１回路基板
１１ａ  接地部
１２  第２回路基板
１３  液晶表示板
１５  短絡壁
１８  アンテナ素子
１９  アンテナ回路
【図１】
0004677905.tif 000002
【図２】
0004677905.tif 000003
【図３】
0004677905.tif 000004
【図４】
0004677905.tif 000005
【図５】
0004677905.tif 000006